(57)【要約】 【課題】  ノイズの発生を防止しつつ、電力消費量が小さい電源装置を提供する。【解決手段】  電源回路４２は、直流電流を供給可能な電源４６に電気的に接続されている。この電源回路４２には、規定電圧ＶIC1を印加すると動作する第１集積回路４７と、規定電圧ＶIC2を印加すると動作する第２集積回路４８と直列に電気的に接続されている。電源回路４２は、電源４６から供給される直流電流の電圧を、電力を消費して降圧するトランジスタ４９を備える。電源回路４２は、電圧が降圧された直流電流を第１および第２集積回路４７，４８に供給する。【選択図】      図１
2007241659.tif 000002
【特許請求の範囲】
【請求項１】
電力を消費して電圧を降圧する降圧素子によって、供給電圧に降圧して供給する電源回路であって、予め定められる規定電圧を印加すべき複数の電子部品が直列に電気的に接続される電源回路と、
一の電子部品に印加される電圧を検出するための検出手段と、
この検出された電圧と検出対象の電子部品の規定電圧とを比較する比較手段と、
比較手段の比較結果に基づいて、検出対象の電子部品に印加される電圧を前記規定電圧に制御する電圧制御手段とを含み、
電圧制御手段は、検出対象の電子部品に供給される直流電流を分流可能であり、比較手段の比較結果に基づいて、分流する直流電流の電流値を可変可能な分流回路を含むことを特徴とする電源装置。
【請求項２】
電圧制御手段は、
検出対象の電子部品に直流電流を供給可能であり、比較手段の比較結果に基づいて、供給する直流電流の電流値を可変可能な供給回路をさらに備え、
比較手段が、検出された電圧が規定電圧未満であると判定すると、供給回路によって供給する直流電流の電流値を増加させ、分流回路によって分流する直流電流の電流値を減少させ、
比較手段が、検出された電圧が規定電圧を超えていると判定すると、供給回路によって供給する直流電流の電流値を減少させ、分流回路によって分流する直流電流の電流値を増加させることを特徴とする請求項１に記載の電源装置。
【請求項３】
検出対象の電子部品への直流電流の供給を停止する供給停止手段をさらに備え、
電圧制御手段は、検出対象の電子部品への直流電流の供給が停止されている際、分流回路によって、検出対象の電子部品に供給すべき直流電流を転流することを特徴とする請求項１または２に記載の電源装置。
【請求項４】
電源回路は、電源から供給される交流または直流電流を予め定められる供給電圧の直流電流に変換する機能を有することを特徴とする請求項１〜３のいずれか１つに記載の電源装置。
【請求項５】
検出手段の検出結果に基づいて、検証対象の電子部品に印加を許容し得る許容電圧範囲内に検出対象の電子部品に印加される電圧が含まれていない異常状態か否かを判定する異常判定手段と、
異常判定手段が異常状態と判定すると、電源回路からの直流電流の供給を停止させる停止手段とをさらに含むことを特徴とする請求項１〜４のいずれか１つに記載の電源装置。
【請求項６】
インピーダンスが低い電子部品をインピーダンスが高い電子部品より接地側に配置することを特徴とする請求項１〜５のいずれか１つに記載の電源装置。
【請求項７】
電源回路は、降圧素子がトランジスタであるシリーズレギュレータであり、
比較手段は、コンパレータであり、
分流回路は、コンパレータの出力信号に基づいて、分流する直流電流の電流値を切換えるトランジスタであることを特徴とする請求項１〜６のいずれか１つに記載の電源装置。
【請求項８】
請求項１〜７のいずれか１つに記載される電源装置を備える電子機器。
【発明の詳細な説明】
【技術分野】
【０００１】
本発明は、電子部品に予め定められる規定電圧を印加するための電源装置に関する。
【背景技術】
【０００２】
近年、１つの電源から複数の電子回路に電圧を供給するための電源装置が実用に供されている。電源装置は、各電子回路毎に予め定められた規定電圧を各電子回路に印加可能に構成される。
【０００３】
図５は、従来の第１の技術の電源装置１の回路図である。電源装置１は、いわゆるスイッチングレギュレータであり、２つの電源回路２，３を有する。各電源回路２，３は、電源４に対して互いに並列に接続され、各電源回路２，３には、集積回路５，６が電気的にそれぞれ接続されている。各電源回路２，３は、スイッチング回路であり、電源４の電圧１２Ｖを、各電源回路２，３に接続される集積回路５，６の規定電圧、たとえば３Ｖおよび１．５Ｖに降圧して、各集積回路５，６にそれぞれ印加する。電源回路２，３は、コイル７と、ダイオード８と、分圧回路９と、トランジスタ１１と、コンパレータ１２と、ツェナーダイオード１３と、抵抗器１４とを備える。コイル７とダイオード８と分圧回路９とによって平滑回路１５が構成され、トランジスタ１１とコンパレータ１２とツェナーダイオード１３と抵抗器１４とによってスイッチ１６を構成する。スイッチ１６は、分圧回路によって分圧された電圧に基づいて、スイッチのオンおよびオフ状態を切換える。スイッチのオンおよびオフ状態を切換えることによって平滑回路で集積回路５，６に印加する電圧を規定電圧に降圧する（たとえば特許文献１参照）。
【０００４】
図６は、従来の第２の技術の電源装置２１の回路図である。電源装置２１は、いわゆるシリーズレギュレータであり、２つの電源回路２２、２３を有する。各電源回路２２，２３は、１２Ｖの電源２４に対して互いに並列に接続され、各電源回路２２，２３には、集積回路２５，２６が電気的にそれぞれ接続されている。各電源回路２２，２３は、電源２４の電圧１２Ｖを、各集積回路２５，２６の規定電圧、たとえば３Ｖおよび１．５Ｖに降圧して、集積回路５，６にそれぞれ印加する。各電源回路２２，２３は、トランジスタ２７と、分圧回路２８と、コンパレータ２９と、ツェナーダイオード３１と、抵抗器３２とを備える。電源回路２２，２３では、電源２４と集積回路２５，２６とがトランジスタ２７を介在させて電気的に接続されている。トランジスタ２７は、そのコレクタが電源２４に、エミッタが集積回路２５，２６に接続されている。トランジスタ２７と集積回路２５，２６との間には、分圧回路２８が電気的に接続されている。コンパレータ２９は、ツェナーダイオード３１と抵抗器３２とによって与えられる基準電圧が非反転入力端子に与えられ、分圧回路２８によって分圧された電圧が反転入力端子に与えられる。コンパレータ２９は、その出力端子がトランジスタ２７のベースに電気的に接続され、トランジスタ２７のエミッタ−コレクタ間の導通状態を切換える。
【０００５】
コンパレータ２９は、分圧された電圧が基準電圧以下と判定すると、トランジスタ２７の導通状態を切換え、電源２４から集積回路２５，２６へ電流を流す。このときトランジスタ２７は、電力を消費して熱に変換することによって、各集積回路２５，２６に印加される電圧を規定電圧に降圧している。これによって各集積回路２５，２６に規定電圧が印加される。
【０００６】
【特許文献１】特開平９−３０４１４３号公報
【発明の開示】
【発明が解決しようとする課題】
【０００７】
従来の第１の技術の電源装置１は、各集積回路５，６の規定電圧に降圧する際、スイッチ１６の状態を切換えることによって降圧する。スイッチの状態を切換えることによって、コイル７を流れる電流が変動し電磁波が発生する。集積回路５，６では、この電磁波にともなってノイズが発生し、このノイズが動作異常の原因となる。
【０００８】
従来の第２の技術の電源装置２１は、このような電磁波の発生を抑制するために、トランジスタ２７によって電力を消費させ、電源２４の電圧１２Ｖを各集積回路２５，２６の規定電圧、たとえば３．０Ｖまたは１．５Ｖに降圧している。トランジスタ２７では、電力を消費する際、熱が発生し、電力消費量が大きければ大きいほどその熱量が大きくなる。したがってトランジスタ２７で消費すべき電力を小さくすることによって、トランジスタ２７で発生する熱量が小さくなる。
【０００９】
本発明の目的は、ノイズの発生を防止しつつ、電力消費量が小さい電源装置を提供することである。
【課題を解決するための手段】
【００１０】
本発明（１）は、電力を消費して電圧を降圧する降圧素子によって、供給電圧に降圧して供給する電源回路であって、予め定められる規定電圧を印加すべき複数の電子部品が直列に電気的に接続される電源回路と、
一の電子部品に印加される電圧を検出するための検出手段と、
この検出された電圧と検出対象の電子部品の規定電圧とを比較する比較手段と、
比較手段の比較結果に基づいて、検出対象の電子部品に印加される電圧を前記規定電圧に制御する電圧制御手段とを含み、
電圧制御手段は、検出対象の電子部品に供給される直流電流を分流可能であり、比較手段の比較結果に基づいて、分流する直流電流の電流値を可変可能な分流回路を含むことを特徴とする電源装置である。
【００１１】
また本発明（２）は、電圧制御手段は、
検出対象の電子部品に直流電流を供給可能であり、比較手段の比較結果に基づいて、供給する直流電流の電流値を可変可能な供給回路をさらに備え、
比較手段が、検出された電圧が規定電圧未満であると判定すると、供給回路によって供給する直流電流の電流値を増加させ、分流回路によって分流する直流電流の電流値を減少させ、
比較手段が、検出された電圧が規定電圧を超えていると判定すると、供給回路によって供給する直流電流の電流値を減少させ、分流回路によって分流する直流電流の電流値を増加させることを特徴とする。
【００１２】
また本発明（３）は、検出対象の電子部品への直流電流の供給を停止する供給停止手段をさらに備え、
電圧制御手段は、検出対象の電子部品への直流電流の供給が停止されている際、分流回路によって、検出対象の電子部品に供給すべき直流電流を転流することを特徴とする。
【００１３】
また本発明（４）は、電源回路は、電源から供給される交流または直流電流を予め定められる供給電圧の直流電流に変換する機能を有することを特徴とする。
【００１４】
また本発明（５）は、検出手段の検出結果に基づいて、検証対象の電子部品に印加を許容し得る許容電圧範囲内に検出対象の電子部品に印加される電圧が含まれていない異常状態か否かを判定する異常判定手段と、
異常判定手段が異常状態と判定すると、電源回路からの直流電流の供給を停止させる停止手段とをさらに含むことを特徴とする。
【００１５】
また本発明（６）は、インピーダンスが低い電子部品をインピーダンスが高い電子部品より接地側に配置することを特徴とする。
【００１６】
また本発明（７）は、電源回路は、降圧素子がトランジスタであるシリーズレギュレータであり、
比較手段は、コンパレータであり、
分流回路は、コンパレータの出力信号に基づいて、分流する直流電流の電流値を切換えるトランジスタであることを特徴とする。
また本発明（８）は、前記電源装置を備える電子機器である。
【発明の効果】
【００１７】
本発明（１）によれば、降圧素子によって直流電流を供給電圧に降圧して、複数の電子回路に供給する。複数の電子回路が電源回路に直列に電気的に接続されるので、各電子回路に規定電圧をそれぞれ印加するために、電源回路から複数の電子回路に供給すべき直流電流の電圧すなわち供給電圧は、各電子回路の規定電圧の総和となる。したがって従来の第２の技術の電源装置のように、複数の電子回路が電源に並列に接続される場合に比べて、電源回路が降圧すべき電圧を小さくすることができ、降圧素子での電力消費量を小さくすることができる。これによって電源電圧の利用効率を向上させることができる。またたとえば降圧素子がトランジスタなど発熱によって電力を消費するものである場合、電源回路の発熱量を抑えることができ、電源回路を備える装置の温度上昇を抑えることができる。また降圧素子によって電圧を降圧するので、ノイズが発生せず、電子部品の誤作動を抑制できる。
【００１８】
また本発明（１）は、降圧素子によって直流電流を供給電圧に降圧して、複数の電子部品に供給できる。複数の電子部品が電源回路に直列に電気的に接続されるので、各電子部品に規定電圧をそれぞれ印加するために、電源回路から複数の電子部品に供給すべき直流電流の電圧すなわち供給電圧は、各電子部品の規定電圧の総和となる。したがって従来の第２の技術の電源装置のように、複数の電子部品が電源に並列に接続される場合に比べて、電源回路が降圧すべき電圧を小さくすることができ、降圧素子での電力消費量を小さくすることができる。これによって電源電圧の利用効率を向上させることができる。またたとえば降圧素子がトランジスタなど発熱によって電力を消費するものである場合、電源回路の発熱量を抑えることができ、電源回路を備える装置の温度上昇を抑えることができる。また降圧素子によって電圧を降圧するので、ノイズが発生せず、電子部品の誤作動を抑制できる。
【００１９】
また比較手段が、検出手段によって検出された電圧と、検出対象の電子部品の規定電圧とを比較し、比較手段の比較結果に基づいて、電圧制御手段が、検出対象の電子部品に印加される電圧を規定電圧に制御する。これによって検出対象以外の電子部品で消費される電圧が変動しても、検出対象の電子部品に規定電圧を印加することができる。したがって複数の電子部品が電源回路に直列に電気的に接続されても、検出対象の電子部品に安定して規定電圧を印加できる。たとえば電子部品が集積回路である場合、複数の集積回路が直列に電気的に接続されても、検証対象の電子部品を安定して動作させることができる。
【００２０】
さらに本発明（１）は、比較手段の比較結果に基づいて、分流回路が分流する直流電流の電流値を変更できる。これによって検出対象の電子部品に印加される電圧を変更することができ、検出対象の電子部品に印加される電圧を規定電圧に制御することが実現できる。印加される電圧を規定電圧に制御することによって、たとえば検出対象の電子部品が集積回路である場合、この検出対象の電子部品を安定して動作させることができるとともに、規定電圧より高い電圧が印加されて検出対象の電子部品が故障することを防止できる。
【００２１】
また本発明（２）によれば、検出対象の電子部品に印加される電圧がその規定電圧より小さくなると、供給回路によって供給する直流電流の電流値を増加させ、分流回路によって分流する直流電流の電流値を減少させて、検出対象の電子部品に印加される電圧を上昇させる。また検出対象の電子部品に印加される電圧がその規定電圧より大きくなると、供給回路によって供給する直流電流の電流値を減少させ、分流回路によって分流する直流電流の電流値を増加させて、検出対象の電子部品に印加される電圧を降下させる。これによって検出対象の電子部品に印加される電圧を規定電圧に制御することができ、検出対象の電子部品に安定して規定電圧を印加させることができる。また検出対象の電子部品に規定電圧より高い電圧が印加されて、検出対象の電子部品が故障することを防止できる。
【００２２】
また本発明（３）によれば、供給停止手段によって検出対象の電子部品への直流電流の供給が停止されると、分流回路によって、検出対象の電子部品に供給すべき直流電流を転流する。複数の電子回路が直列に電気的に接続されているにもかかわらず、検出対象の電子部品への直流電流の供給を停止させても、分流回路を用いて転流することによって、この供給が停止している電子部品以外の電子部品に直流電流を供給することができる。これによってたとえば、検出対象の電子部品が他の電子部品より先に電圧の印加を停止しても、他の電子部品を安定して規定電圧を印加させることができる。
【００２３】
また本発明（４）によれば、交流電流を供給電圧の直流電流に変換できるので、電源回路に交流電流を供給可能な電源を電気的に接続することによって、複数の電子部品に供給電圧の直流電流を供給することができる。
【００２４】
また本発明（５）によれば、異常判定手段が、検出結果に基づいて、検出対象の電子部品に印加される電圧が許容電圧範囲内に含まれないと判定すると、停止手段によって電源回路から複数の電子回路への直流電流の供給を停止させる。これによって各電子部品が異常に高い電圧が印加されている状態を防ぐことができ、このような異常に高い電圧を印加されることによって電子部品が故障することを防ぐことができる。
【００２５】
また本発明（６）によれば、インピーダンスがより低い電子部品を接地側に配置することによって、ノイズの発生を抑制する。これによって電子部品に安定して規定電圧を印加させることができる。
【００２６】
また本発明（７）によれば、降圧素子で消費すべき電力が低減できるとともに、電子部品に安定して規定電圧を印加することができる電源装置を実現することができる。
【００２７】
また本発明（８）によれば、ノイズの発生を防止しつつ、降圧素子で消費される電力を低減されている電源装置を備える電子機器を実現することができる。
【発明を実施するための最良の形態】
【００２８】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００２９】
図１は、本発明の実施の第１の形態である電源装置４１を示す回路図である。電源装置４１は、複数の電子部品および電源に電気的に接続され、電源の電源電圧を降圧して、各電子部品に予め定められる規定電圧を印加するための装置である。電子部品には、集積回路などの電子回路ならびに抵抗器、コンデンサおよびコイルなどの回路素子が含まれる。電源装置４１は、電子機器４０、たとえば電子制御ユニット（Electronic Control
Unit：略称ＥＣＵ）に設けられて車両に搭載される。電源装置４１は、電子機器４０に含まれる複数の集積回路に規定電圧をそれぞれ印加する。電源装置４１には、電源回路４２と電圧制御回路４３と異常停止回路４４とが含まれる。電源装置４１には、電源回路４２と電圧制御回路４３と異常停止回路４４とわたって主導電路４５が形成されている。
【００３０】
主導電路４５は、その一端が電源４６に電気的に接続され、他端が接地されている。電源４６は、たとえば車両に備えられているバッテリであり、本実施の形態では１２Ｖのバッテリである。ただし電源４６は、バッテリなどの二次電池に限定されず、乾電池などの一次電池であってもよい。電源４６は、高圧側が主導電路４５に電気的に接続され、低圧側が接地されている。
【００３１】
電源回路４２は、電源４６に電気的に接続され、複数の電子部品、本実施の形態では２つの第１および第２集積回路４７，４８が直列に電気的に接続されている。第１集積回路４７は、たとえばアナログ信号処理回路であり、第２集積回路４８は、たとえばディジタル信号処理回路である。ただしこのような信号処理回路に限定されない。電源回路４２は、いわゆるシリーズレギュレータであり、電源４６の電源電圧、本実施の形態では１２Ｖの電源電圧を降圧して、第１および第２集積回路４７，４８に電圧を印加するための回路である。電源回路４２には、主導電路４５の一部である主導電路第１部分４５ａと、トランジスタ４９と、分圧回路５１と、基準電圧回路５２と、コンパレータ５３とが含まれる。
【００３２】
主導電路第１部分４５ａは、その一端が電源４６に電気的に接続され、トランジスタ４９が介在している。トランジスタ４９は、ｎｐｎ型のトランジスタであり、主導電路第１部分４５ａの一端側にコレクタが、他端側にエミッタが電気的に接続されている。さらに主導電路第１部分４５ａには、分圧回路５１が電気的に接続されている。分圧回路５１は、２つの抵抗器５５，５６が直列に電気的に接続されて構成されている。分圧回路５１は、その一端が主導電路第１部分４５ａのトランジスタ４９より他端側に電気的に接続され、他端が接地されている。さらに主導電路第１部分４５ａには、基準電圧回路５２が電気的に接続されている。基準電圧回路５２は、抵抗器５７とツェナーダイオード５８とが直列に電気的に接続されて構成されている。基準電圧回路５２は、抵抗器５７側の端である一端が主導電路第１部分４５ａのトランジスタ４９と電源４６との間に一端側に電気的に接続され、ツェナーダイオード５８の端である他端が接地されている。
【００３３】
コンパレータ５３は、その反転入力端子が分圧回路５１に電気的に接続され、非反転入力端子が基準電圧回路５２に電気的に接続されている。具体的には、コンパレータ５３は、反転入力端子が分圧回路５１の２つの抵抗器５５，５６の間に電気的に接続され、非反転入力端子が基準電圧回路５２の抵抗器５７とツェナーダイオード５８との間に電気的に接続されている。またコンパレータ５３は、その出力端子がトランジスタ４９のベースに抵抗器５９を介在させて電気的に接続されている。
【００３４】
電圧制御回路４３は、第１および第２集積回路４７，４８に電気的に接続され、第１および第２集積回路４７，４８に印加される電圧を制御するための回路である。電圧制御回路４３には、主導電路４５の一部分である主導電路第２部分４５ｂと、分圧回路６１と、第１検出導電路６２と、比較回路６３と、第１分流回路６４と、第２分流回路６５とが含まれる。
【００３５】
主導電路第２部分４５ｂは、一端が主導電路第１部分４５ａの他端に電気的に接続されている。主導電路第２部分４５ｂの一端側には、第１および第２集積回路４７，４８が直列に電気的に接続されている。具体的には、第１および第２集積回路４７，４８が直列に電気的に接続され、第１集積回路４７側の一端が主導電路第２部分４５ｂに電気的に接続され、第２集積回路４８側の他端が接地されている。主導電路第２部分４５ｂの他端側には、分圧回路６１が電気的に接続されている。分圧回路６１は、２つの抵抗器６６，６７が直列に電気的に接続されて構成されている。分圧回路６１は、その一端が主導電路第２部分４５ｂの他端側に電気的に接続され、他端が接地されている。第１検出導電路６２は、その一端が第１および第２集積回路４７，４８の間に電気的に接続されている。比較手段である比較回路６３は、コンパレータによって構成され、反転入力端子が第１検出導電路６２の他端に電気的に接続され、非反転入力端子が分圧回路６１の２つの抵抗器６６，６７の間に電気的に接続されている。
【００３６】
第１分流回路６４は、ｎｐｎ型トランジスタによって構成され、主導電路第２部分４５ｂおよび第１検出導電路６２に電気的に接続されている。具体的には、第１分流回路６４は、そのコレクタが主導電路第２部分４５ｂの第１集積回路４７と分圧回路６１との間に電気的に接続され、エミッタが第１検出導電路６２に電気的に接続されている。第２分流回路６５は、ｐｎｐ型トランジスタによって構成され、第１検出導電路６２に電気的に接続されている。具体的には、第２分流回路６５は、エミッタが第１検出導電路６２に電気的に接続され、コレクタが接地されている。本実施の形態では、第１分流回路６４および第２分流回路６５のエミッタが電気的に接続されている。第１分流回路６４は、第１集積回路４７に対して分流回路に相当し、第２集積回路４８に対して供給回路に相当する。第２分流回路６４は、分流回路に相当する。また第１および第２分流回路６４，６５は、電圧制御手段に相当する。
【００３７】
比較回路６３の出力端子は、第１および第２分流回路６４，６５のベースに電気的にそれぞれ接続されている。第１および第２分流回路６４，６５のベースは、比較回路６３の出力端子に並列に電気的に接続されている。比較回路６３の出力端子と第１および第２分流回路６４，６５のベースとの間には、抵抗器６８，６９がそれぞれ介在している。
【００３８】
異常停止回路４４は、電源回路４２および第１および第２集積回路４７，４８に電気的に接続されている。異常停止回路４４は、第１および第２集積回路４７，４８に異常に高い電圧が印加されている場合、電源回路４２を停止し、第１および第２集積回路４７，４８への直流電流の供給を停止させる回路である。異常停止回路４４には、主導電路４５の一部分である主導電路第３部分４５ｃと、分圧回路７１と、第２検出導電路７２と、第１許容電圧比較回路７３と、第２許容電圧比較回路７４と、異常検出回路７５と、電源判定回路７６と、解除信号発信回路７７と、リセット検出回路７８と、停止判定回路７９とが含まれる。
【００３９】
主導電路第３部分４５ｃは、その一端が主導電路第２部分４５ｂに電気的に接続され、他端が接地されている。分圧回路７１は、主導電路第３部分４５ｃに介在している。分圧回路７１は、主導電路第３部分４５ｃの一端側から順に３つの抵抗器８１，８２，８３が直列に電気的に接続されて構成されている。第２検出導電路７２は、その一端が第１検出導電路６２に電気的に接続され、第１検出導電路７１と同電位の導電路である。
【００４０】
第１許容電圧比較回路７３は、コンパレータによって構成され、その反転入力端子が分圧回路７１の主導電路第３部分の一端側の２つの抵抗器８１，８２の間に電気的に接続され、非反転入力端子が第２検出導電路７２に電気的に接続されている。この第２検出導電路７２および第１検出導電路６２が検出手段に相当する。第２許容比較回路７４は、コンパレータによって構成され、その反転入力端子が第２検出導電路７２の他端に電気的に接続され、非反転入力端子が分圧回路７１の主導電路第３部分４５ｃの他端側の２つの抵抗器８２，８３の間に電気的に接続されている。異常検出回路７５は、２つの入力端子を備える論理和演算回路（ＯＲゲート）によって構成され、各入力端子に第１および第２許容電圧比較回路７３，７４の出力端子が電気的にそれぞれ接続されている。
【００４１】
電源判定回路７６は、電源装置４１が搭載される電子機器４０を初期状態に戻すためのリセットボタン、または前記電子機器４０の各構成への電力を供給および供給停止させるための電源スイッチを操作すると、ハイレベルの電源信号を伝送する回路である。リセットボタンおよび電源スイッチは、電子機器４０に設けられている。電源信号は、電圧の信号である。解除信号発信回路７７は、電子機器４０に設けられる解除ボタンが押されると、ハイレベルの解除信号を伝送する回路である。解除信号は、電圧の信号である。リセット検出回路７８は、２つの入力端子を備える論理和演算回路（ＯＲゲート）によって構成され、各入力端子に電源判定回路７６および解除信号発信回路７７が電気的にそれぞれ接続されている。電源判定回路７６は、リセット検出回路７８に電源信号を伝送可能に構成され、解除信号発信回路７７は、リセット検出回路７８に解除信号を伝送可能に構成される。
【００４２】
停止判定回路７９は、リセットセットフリップフロップ（ＲＳ−ＦＦ）で構成され、リセット端子（Ｒ端子）、セット端子（Ｓ端子）、非反転出力端子（Ｑ１端子）、反転出力端子（Ｑ２端子）を備える。停止判定回路７９は、セット端子が異常検出回路７５の出力端子に電気的に接続され、リセット端子がリセット検出回路７８の出力端子に電気的に接続されている。第１許容電圧比較回路７３、第２許容電圧比較回路７４、異常検出回路７５および停止判定回路７９が異常判定手段８０に相当する。
【００４３】
異常停止回路４４には、さらに停止手段８５および報知手段８６が含まれる。停止手段８５は、ｎｐｎ形トランジスタで構成され、コレクタがコンパレータ５３の出力端子に電気的に接続され、エミッタが接地されている。停止手段８５のコレクタは、具体的には、トランジスタ４９と抵抗器５９との間に電気的に接続されている。さらに停止手段８５のベースは、停止判定回路７９の非反転出力端子に抵抗器８７を介して電気的に接続されている。報知手段８６は、スイッチング素子８８と報知素子８９とで構成されている。スイッチング素子８８は、ｐｎｐ型トランジスタ８８のエミッタが基準電圧回路５２の抵抗器５７より一端側に電気的に接続され、コレクタが接地されている。またトランジスタ８８のエミッタと基準電圧回路５２との間には、基準電圧回路５２側から順に抵抗器９１および報知素子８９が電気的に接続されている。報知素子８９は、フォトトランジスタである。
【００４４】
第１および第２集積回路４７，４８は、規定電圧ＶIC1，ＶIC2をそれぞれ印加すると、動作するように構成される。本実施の形態では、第１集積回路の規定電圧ＶIC1は、３．３Ｖであり、第２集積回路の規定電圧ＶIC2は、１．５Ｖである。ただし集積回路の規定電圧は、このような値に限定されない。規定電圧は、他にたとえば５．０Ｖがあり、複数の集積回路の規定電圧の総和が電源４６の電源電圧Ｖ０以下であればよい。また第１集積回路４７のインピーダンスは、第２集積回路４８のインピーダンスより大きい。第１および第２集積回路４７，４８は、たとえばマイクロプロセッサおよび半導体メモリである。ただし第１および第２集積回路４７，４８は、これらに限定されるものでなく、複数の回路素子が組合させて形成されるものであればよい。
【００４５】
このようにして構成される電源装置４１において、電源回路４２では、基準電圧回路５２によって、電源電圧Ｖ０を基準電圧Ｖ１に制御する。基準電圧Ｖ１は、ツェナーダイオード５８のツェナー電圧である。また電源電圧Ｖ０は、トランジスタ４９によって供給電圧Ｖ２に降圧され、分圧回路５１は、この降圧された供給電圧Ｖ２を被比較電圧Ｖ３に分圧する。分圧回路５１の２つの抵抗器５５，５６の抵抗値は、供給電圧Ｖ２が規定総電圧であるとき、被比較電圧Ｖ３が基準電圧Ｖ２と一致するように決定される。規定総電圧は、複数の集積回路の規定電圧の総和であり、本実施の形態では第１および第２集積回路４７，４８の規定電圧ＶIC1，ＶIC2の総和４．８Ｖである。
【００４６】
コンパレータ５３は、非反転入力端子に基準電圧Ｖ１が印加され、反転入力端子に被比較電圧Ｖ３が印加される。コンパレータ５３は、基準電圧Ｖ１と被比較電圧Ｖ３とを比較し、その比較結果に基づいて、出力端子から抵抗器５９を介して電流の信号である開閉信号をトランジスタ４９に伝送する。トランジスタ４９は、この開閉信号に応じて供給電圧Ｖ２を制御する。具体的には、コンパレータ５３は、被比較電圧Ｖ３が基準電圧Ｖ１より大きい場合、トランジスタ４９にローレベルの開閉信号を伝送し、被比較電圧Ｖ３が基準電圧Ｖ１より小さい場合、トランジスタ４９にハイレベルの開閉信号を伝送する。トランジスタ４９は、ローレベルの開閉信号が入力されると、供給電圧Ｖ２を減少させ、ハイレベルの開閉信号が入力されると、供給電圧Ｖ２を増加させる。このようにトランジスタ４９によって、開閉信号に応じて供給電圧を増減して、供給電圧Ｖ２が規定総電圧に制御される。このようにして電源回路４２では、供給電圧Ｖ２が規定総電圧に制御される。
【００４７】
制御された供給電圧Ｖ２に基づいて、第１および第２集積回路４７，４８には、第１印加電圧Ｖ４および第２印加電圧Ｖ５がそれぞれ印加される。具体的には、供給電圧Ｖ２が、第１集積回路４７によって第１印加電圧Ｖ４分降圧されて第２印加電圧Ｖ５になり、第２集積回路４８にこの第２印加電圧Ｖ５が印加される。第１および第２集積回路４７，４８に規定電圧ＶIC1，ＶIC2がそれぞれ印加されると、各集積回路４７，４８が動作可能な状態になる。
【００４８】
電圧制御回路４３では、第１検出導電路６２によってこの第２印加電圧Ｖ５を検出し、この第２印加電圧Ｖ５が比較回路６３の反転入力端子に印加される。分圧回路６１は、供給電圧を分圧電圧Ｖ６に分圧し、この分圧電圧Ｖ６を比較回路６３の非反転入力端子に印加する。分圧回路５１の２つの抵抗器６６，６７の抵抗値は、供給電圧Ｖ２が規定総電圧であるとき、分圧電圧Ｖ６が第２集積回路４８の規定電圧ＶIC2と一致するように決定される。
【００４９】
比較回路６３には、非反転入力端子に分圧電圧Ｖ６が印加され、反転入力端子に第２印加電圧Ｖ５が印加される。比較回路６３は、分圧電圧Ｖ６と第２印加電圧Ｖ５とを比較し、その比較結果に基づいて、その出力端子から電流の信号である電流制御信号を、各抵抗器６８，６９を介して、第１および第２分流回路６４，６５にそれぞれ伝送する。第１および第２分流回路６４，６５は、この電流制御信号に応じて、それぞれ分流する電流値を制御する。
【００５０】
具体的には、比較回路６３は、第２印加電圧Ｖ５が分圧電圧Ｖ６より大きい場合、第１および第２分流回路６６，６７にローレベルの電流制御信号を伝送し、第２印加電圧Ｖ５が分圧電圧Ｖ６より小さい場合、第１および第２分流回路６４，６５にハイレベルの電流制御信号を伝送する。各分流回路６４，６５にローレベルの電流制御信号が入力されると、第１分流回路６４は、分流する電流の電流値を減少させ、第２分流回路６５は、分流する電流の電流値を増加させる。つまり、第２印加電圧Ｖ５が第２集積回路４８の規定電圧ＶIC2を超える場合、第１分流回路６４によって第１印加電圧Ｖ４を増加させ、第２分流回路６５によって第２印加電圧Ｖ５を減少させる。各分流回路６４，６５にハイレベルの電流制御信号が入力されると、第１分流回路６４は、分流する電流の電流値を増加させ、第２分流回路６５は、分流する電流の電流値を減少させる。つまり、第２印加電圧Ｖ５が第２集積回路４８の規定電圧ＶIC2未満である場合、第１分流回路６４によって第１印加電圧Ｖ４を減少させ、第２分流回路６５によって第２印加電圧Ｖ５を増加させる。このようにして各分流回路６４、６５は、第２印加電圧Ｖ５と第２集積回路４８の規定電圧ＶIC2との大小関係に基づいて、分流する電流の電流値を制御し、第１印加電圧Ｖ５を第１集積回路４７の規定電圧ＶIC1に制御し、第２印加電圧Ｖ５を第２集積回路４８の規定電圧ＶIC2に制御する。
【００５１】
また供給電圧Ｖ２は、主導電路第３部分４５ｃの分圧回路７１で、２つの抵抗器８１，８２によって、第１異常基準電圧Ｖ７に分圧される。この第１異常基準電圧Ｖ７は、第１許容電圧比較回路７３の反転入力端子に印加される。第１許容電圧比較回路７３の非反転入力端子には、第２印加電圧Ｖ５が第２検出導電路７２を介して印加される。第１許容電圧比較回路７３は、第２印加電圧Ｖ５が第１異常基準電圧Ｖ７を超えると、ハイレベルの第１異常信号を異常検出回路７５に伝送する。第１許容電圧比較回路７３は、第２印加電圧Ｖ５が第１異常基準電圧Ｖ７未満の場合、ローレベルの第１異常信号が伝送される。第１異常信号は、電圧の信号である。
【００５２】
さらに供給電圧Ｖ２は、主導電路第３部分４５ｃの分圧回路７１で、２つの抵抗器８２，８３によって、第２異常基準電圧Ｖ８に分圧される。この第２異常基準電圧Ｖ８は、第２許容電圧比較回路７４の非反転入力端子に印加される。第２許容電圧比較回路７４の反転入力端子には、第２印加電圧Ｖ５が第２検出導電路７２を介して印加される。第２許容電圧比較回路７４は、第２印加電圧Ｖ５が第２異常基準電圧Ｖ８未満になると、ハイレベルの第２異常信号を異常検出回路７５に伝送する。第２許容電圧比較回路７４は、第２印加電圧Ｖ５が第２異常基準電圧Ｖ８を超えると、ローレベルの第２異常信号が伝送される。第２異常信号は、電圧の信号である。
【００５３】
第１異常基準電圧Ｖ７は、第２集積回路４８が動作可能な電圧の上限値であり、第２異常基準電圧Ｖ８は、第２集積回路４８が動作可能な電圧の下限値である。第２集積回路４８の許容電圧範囲は、第２異常基準電圧Ｖ８以上第１異常基準電圧Ｖ７以下であり、集積回路が異常動作を起こさない範囲内で、予め定められる電圧の範囲である。
【００５４】
異常検出回路７５は、第２印加電圧Ｖ５が許容電圧範囲外である場合、第１および第２許容電圧比較回路７３，７４のうち少なくともいずれか一方からハイレベルの第１および第２異常信号が伝送される。これによって異常検出回路７５は、第２印加電圧Ｖ５が許容電圧範囲外であると判定し、第２集積回路４７，４８が正常に動作することが困難であると判定する。このように判定すると、異常検出回路７５は、停止判定回路７９のセット端子にハイレベルの異常検出信号を伝送する。異常検出信号は、電圧の信号である。
【００５５】
停止判定回路７９は、セット端子にハイレベルの異常検出信号が入力されると、非反転出力端子から抵抗器８７を介して停止手段８５に、ハイレベルの停止信号を伝送し、反転出力端子から抵抗器９２を介して報知手段８６に、ローレベルの報知信号を伝送する。停止信号および報知信号は、電流の信号である。停止手段８５は、このハイレベルの停止信号が入力されると、コレクタとエミッタを導通させ、コンパレータ５３の出力端子を接地させる。これによって停止手段８５は、コンパレータ５３からトランジスタ４９のベースへの開閉信号の伝送を阻止する。トランジスタ４９のエミッタ−コレクタ間が非導通状態となり、電源回路４２から第１および第２集積回路４７，４８への電流の供給が阻止される。このようにして停止手段８５は、電源回路４１から第１および第２集積回路４７，４８への電流の供給を停止する。また報知手段８６は、ローレベルの報知信号を受信すると、スイッチング素子８８のエミッタ−コレクタ間を導通状態にし、報知素子８９の発光させ、電源回路４２からの電流の供給が停止していることを報知する。
【００５６】
供給が停止した後、リセットボタンまたは電源スイッチが操作されると、電源判定回路７６からリセット検出回路７８にハイレベルの電源信号が伝送され、解除ボタンが操作されると、解除信号発信回路７７からリセット検出回路７８にハイレベルの解除信号が伝送される。リセット検出回路は、ハイレベルの電源信号および解除信号の少なくともいずれか一方が入力されると、停止判定回路７９のセット端子にハイレベルのリセット信号を伝送する。リセット信号は、電圧の信号である。停止判定回路７９は、リセット端子にハイレベルのリセット信号が入力されると、停止判定回路７９の非反転入力端子から停止手段８５にローレベルの停止信号が伝送され、反転入力端子から報知手段８６にハイレベルの報知信号が伝送される。停止手段８５は、ローレベルの停止信号が入力されると、エミッタ−コレクタ間を非導通状態にし、電源回路４１からの直流電流の供給を再開させる。また報知手段８５は、ハイレベルの停止信号が入力されると、スイッチング素子８８のエミッタ−コレクタ間が非導通状態になる。これによって報知素子８９を発光が阻止され、電源回路４１からの電流の供給がされていることを報知する。
【００５７】
また異常検出回路７５は、第２印加電圧Ｖ５が許容電圧範囲内である場合、第１許容電圧比較回路７３からローレベルの第１異常信号が伝送され、第２許容電圧比較回路７４からローレベルの第２異常信号が伝送される。これによって異常検出回路７５は、第２印加電圧Ｖ５が許容電圧範囲内であると判定し、第２集積回路４８が正常に動作可能であると判定する。このように判定すると、異常検出回路７５は、停止判定回路７９にローレベルの異常検出信号を伝送する。さらに電源回路４１からの直流電流の供給が停止すると、異常検出回路７５は、ローレベルの異常検出信号を停止判定回路７９のセット端子に伝送する。また解除ボタン、リセットボタンおよび電源ボタンが操作されない状態では、リセット検出回路７８は、ローレベルのリセット信号を停止判定回路７９のリセット端子に伝送する。
【００５８】
停止判定回路７９は、セット端子にローレベルの異常検出信号が入力され、かつリセット端子にローレベルのリセット信号が入力されると、反転入力端子および非反転入力端子から出力される信号の伝送を継続する。すなわち電源回路４１からの電流の供給が停止されている状態では、解除ボタン、リセットボタンまたは電源スイッチを押されないと、
電流の供給が停止されている状態が継続する。また電源回路４１からの電流が供給されている状態では、第２印加電圧Ｖ５が許容電圧範囲内であれば、電源回路４１からの電流の供給が継続される。このように異常停止回路４４によって、第２印加電圧Ｖ５が許容電圧範囲内か否かを判定し、第２集積回路４７に許容電圧範囲外の電圧が印可されることを防ぐ。
【００５９】
以下では、このように構成される電源装置４１が奏する効果について説明する。本実施の形態の電源装置４１によれば、トランジスタ４９によって直流電流を供給電圧Ｖ２に降圧して、第１および第２集積回路４８，４９に供給できる。第１および第２集積回路４７，４８が電源回路４２に直列に電気的に接続されているので、各集積回路４７，４８に規定電圧ＶIC1，ＶIC2をそれぞれ印加するために、電源回路４１から第１および第２集積回路４７，４８に供給すべき直流電流の供給電圧Ｖ２は、第１および第２集積回路４７，４８の規定電圧ＶIC1，ＶIC2の総和となる。したがって従来の第２の技術の電源装置２１のように、第１および第２集積回路２５，２６が並列に接続されている場合に比べて、電源回路４１が降圧すべき電圧を小さくすることができ、トランジスタ４９での電力消費量を小さくすることができる。これによって電源電圧Ｖ０の利用効率を向上させることができる。またトランジスタ４９は、消費された電力が熱に変換するけれども、消費電力が低減できるので、電源回路４２の発熱量を抑えることができ、電源回路４２を備える装置の温度上昇を抑えることができる。これによって電源回路４２を冷却させるための冷却装置を従来より小形化することができる。
【００６０】
本実施の形態の電源装置４１によれば、トランジスタ４９によって直流電流を供給電圧に降圧して、第１および第２集積回路４７，４８に供給できる。第１および第２集積回路４７，４８が電源回路４２に直列に電気的に接続されているので、各集積回路４７，４８に規定電圧ＶIC1，ＶIC2をそれぞれ印加するために、電源回路４２から第１および第２集積回路４７，４８に供給すべき直流電流の供給電圧Ｖ２は、各集積回路４７，４８の規定電圧ＶIC1，ＶIC2の総和となる。したがって従来の第２の技術の電源装置２１のように、第１および第２集積回路２５，２６が並列に接続されている場合に比べて、電源回路４２が降圧すべき電圧を小さくすることができ、トランジスタ４９での電力消費量を小さくすることができる。これによって電源電圧Ｖ０の利用効率を向上させることができる。またトランジスタ４９によって消費された電力が熱に変換されるけれども、消費電力が低減されているので、電源回路４２の発熱量を抑えることができ、電源回路４２を備える装置の温度上昇を抑えることができる。
【００６１】
また比較回路６３が、検出導電路６２によって検出された第２印加電圧Ｖ５と、第２集積回路４８の規定電圧ＶIC2とを比較し、比較回路６３の比較結果に基づいて、第１および第２分流回路６４，６５によって、第２印加電圧Ｖ５を規定電圧ＶIC2に制御する。これによって第１印加電圧Ｖ４が変動しても、第２集積回路４８に規定電圧ＶIC2を印加することができ、第１および第２集積回路４７，４８が電源回路４２に直列に電気的に接続されても、第２集積回路４８に安定して規定電圧ＶIC2を印加し、安定して動作させることができる。
【００６２】
本実施の形態の電源装置４１によれば、比較回路６３の比較結果に基づいて、第２分流回路６５が分流する直流電流の電流値を変更できる。これによって第２集積回路４８に印加される第２印加電圧Ｖ５を変更することができ、第２印加電圧Ｖ５を規定電圧ＶIC2に制御することが実現できる。第２印加電圧Ｖ５を規定電圧ＶIC2に制御することによって、第２集積回路４８を安定して動作させることができるとともに、規定電圧ＶIC2より高い電圧が第２集積回路４８に印加されて故障することを防止できる。
【００６３】
本実施の形態の電源装置４１によれば、第２集積回路４８に印加される第２印加電圧Ｖ５がその規定電圧ＶIC2より小さくなると、第１分流回路６４によって第２集積回路４８に供給する直流電流の電流値を増加させ、第２分流回路６５によって分流する直流電流の電流値を減少させて、第２集積回路４８に印加される第２印加電圧Ｖ５を上昇させる。また第２集積回路４８に印加される第２印加電圧Ｖ５がその規定電圧ＶIC2より大きくなると、第１分流回路６４によって第２集積回路４８に供給する直流電流の電流値を減少させ、第２分流回路６５によって分流する直流電流の電流値を増加させて、第２集積回路４８に印加される第２印加電圧Ｖ５を降下させる。これによって第２集積回路４８に印加される第２印加電圧Ｖ５を規定電圧ＶIC2に制御することができ、第２集積回路４８に安定して規定電圧ＶIC2を印加させることができる。また第２集積回路４８に規定電圧ＶIC2より高い電圧が印加されて、第２集積回路４８が故障することを防止できる。
【００６４】
本実施の形態の電源装置４１によれば、異常検出回路７５が、第２集積回路４８に印加される第２印加電圧Ｖ５が許容電圧範囲内に含まれないと判定すると、停止手段８５によって電源回路４２から第１および第２集積回路４７，４８への直流電流の供給を停止させる。これによって各集積回路４７，４８に異常に高い電圧が印加されている状態が継続することを防ぐことができ、このような異常に高い電圧が継続して印加されることによって集積回路が故障することを防ぐことができる。
【００６５】
本実施の形態の電源装置４１によれば、インピーダンスがより低い第２集積回路４８を接地側に配置することによって、ノイズの発生を抑制する。これによって電子部品に安定して規定電圧ＶIC2を印加させることができる。
【００６６】
本実施の形態の電源装置４１によれば、トランジスタ４９で消費すべき電力が小さくできるとともに、各集積回路４８，４７に安定して規定電圧ＶIC1，ＶIC2を印加することができる電源装置を実現することができる。
【００６７】
本実施の形態の電源装置４１によれば、ノイズの発生を防止しつつ、トランジスタ４９で消費される電力を低減されている電源装置４１を備える電子機器４０を実現することができる。
【００６８】
本実施の形態の電源装置４１によれば、電源回路４２のトランジスタ４９で消費する電力を減少し、電源回路４２での発熱量を減少できる。具体的に説明すると、従来の第２の技術のように並列に接続されている場合、電源回路２２のトランジスタ２７で消費される電力Ｗ11は、
Ｗ11＝（１２−３．３）×Ｉ１＝８．７×Ｉ１                      …（１）
である。電力Ｗ11は、電源電圧Ｖ０と第１集積回路２５の規定電圧ＶIC1との差にトランジスタ１１のエミッタ−コレクタ間を流れる電流、具体的には第１集積回路２５の定格電流Ｉ１を掛け合わした値である。同様に、電源回路２３のトランジスタ２７で消費される電力Ｗ12は、
Ｗ11＝（１２−１．５）×Ｉ２＝１１．５×Ｉ２                    …（２）
である。電力Ｗ11は、電源電圧Ｖ０と第２集積回路２６の規定電圧ＶIC２との差にトランジスタ２７のエミッタ−コレクタ間を流れる電流、具体的には第２集積回路２６の定格電流Ｉ２を掛け合わした値である。したがって電源装置２１の電源回路２２，２３で消費される総消費電力Ｗ1は、
Ｗ1＝８．７×Ｉ１＋１１．５×Ｉ２                                …（３）
であり、Ｉ１＝Ｉ２の場合、総消費電力Ｗ1は、
Ｗ1＝１９．２×Ｉ１                                              …（４）
である。
【００６９】
これに対してトランジスタ４９で消費される電力は、電源電圧Ｖ０から供給電圧Ｖ２に降圧する際に消費される電力Ｗ2であり、電力Ｗ2は、
Ｗ2＝（１２−３．３−１．５）×Ｉ３＝７．２×Ｉ３                …（５）
である。電力Ｗ2は、電源電圧Ｖ０と第１および第２集積回路４７，４８の規定電圧ＶIC1，ＶIC2との差にトランジスタ４９のエミッタ−コレクタ間を流れる電流、具体的には第１および第２集積回路４７，４８の定格電流Ｉ３を掛け合わした値である。したがって本実施の形態の電源装置４１で消費される電力Ｗ2は、従来の技術の電源装置２１で消費される電力Ｗ1より小さい。また電源装置２１，４１では、電力を消費する際、消費された電力がトランジスタによって熱に変換されるので、電力の消費量が小さい本実施の形態の電源装置４１がより発熱量を小さくできる。
【００７０】
本実施の形態の電源装置４１によれば、従来の第２の技術の電源装置２１に対して電力効率が高く、電力が効率よく利用されている。具体的に説明すると、従来の第２の技術の電源装置２１では、電源から供給される電力Ｗ1tは、
Ｗ1t＝１２×Ｉ１＋１２×Ｉ２                                    …（６）
であり、Ｉ１＝Ｉ２の場合、電力Ｗ1tは、
Ｗ1t＝２４×Ｉ１                                                …（７）
である。電源装置２１の電力効率η1は、
η1＝（２４×Ｉ１−１９．２×Ｉ１）／（２４×Ｉ１）×１００
＝２０％                                                    …（８）
である。電力効率η1は、第１および第２集積回路２５，２６で消費される電力を、電源から供給される電力で除したものの百分率である。
【００７１】
これに対して本実施の形態の電源装置４１では、電源４６から供給される電力Ｗ2tは、
Ｗ2t＝１２×Ｉ３
である。電源装置４１の電力効率η2は、
η2＝（１２×Ｉ３−７．２×Ｉ３）／（１２×Ｉ３）×１００
＝４０％                                                     …（９）
である。電力効率η2は、第１および第２集積回路４７，４８で消費される電力を、電源から供給される電力で除したものの百分率である。このように本実施の形態の電源装置４１の電力効率η2は、従来の第２の技術の電源装置２１の電力効率η1より高く、電力の利用効率が高い。
【００７２】
また本実施の形態の電源装置４１によれば、トランジスタ４９によって電力を消費することによって、電源電圧Ｖ０を供給電圧Ｖ２に降圧している。したがって従来の第１の技術の電源装置１のように、電源電圧Ｖ０を供給電圧Ｖ２に降圧する際、ノイズが発生せず、このノイズに起因する第１および第２集積回路４７，４８の誤作動を防止できる。
【００７３】
また本実施の形態の電源装置４１によれば、比較回路６３によって第１分流回路６４および第２分流回路６５が制御されている。つまり１つの比較回路６３によって、第２集積回路４８に対する直流電流の供給および分流を制御することができる。１つの比較回路６３で制御することによって、各分流回路６４，６５に電流制御信号を伝送する際、電流制御信号の出力のタイミングを一致させることができ、第２集積回路４８に対する直流電流の供給および分流させるタイミングのばらつきを抑制できる。これによって第２集積回路４８に安定した規定電圧ＶIC2を印加できる。さらに１つの比較回路６３によって制御するので、電源装置の構成を簡単にすることができ、製造コストを低減することができる。
【００７４】
また本実施の形態の電源装置４１によれば、第１分流回路６４は、第１集積回路４７に対して分流回路の役割を果たし、第２集積回路４８に対して供給回路の役割を果たす。したがって部品点数を低減でき、電源装置４１の構成を簡単化でき、製造コストを低減できる。さらに第１および第２集積回路４７，４８が直列に電気的に接続されているので、第１分流回路６４を流れる直流電流の電流値を制御することによって、第１集積回路４７に印加される第１印加電圧Ｖ４を制御するとともに、第２集積回路４８に印加される第２印加電圧Ｖ５を制御することができる。
【００７５】
また本実施の形態の電源装置４１によれば、電源回路４２を集積回路４７，４８毎に設ける必要がなく、電源装置４１の構造を簡単にすることができる。これによって電源装置の製造コストを低減することができる。
【００７６】
また本実施の形態の電源装置４１によれば、報知素子８９によって、電源回路４２からの直流電流の供給が停止していることを報知する。これによって第２集積回路４８に許容電圧範囲外の電圧が印加されたことを、使用者に報知することができる。これによってたとえば第１および第２集積回路４７，４８のいずれかが断線などしていることを使用者に報知することができる。
【００７７】
本実施の形態の電源装置４１によれば、第１分流回路６４によって、第２分流回路６５と同様の効果を奏する。これによって各集積回路４７，４８に印加される第１および第２印加電圧Ｖ４，Ｖ５を規定電圧ＶIC1、ＶIC2に制御することができる。
【００７８】
図２は、本発明の実施の第２の形態の電源装置４１Ａを示す回路図である。実施の第２の形態の電源装置４１Ａは、実施の第１の形態の電源装置４１と構成が類似している。したがって実施の第２の形態の電源装置４１Ａについて、実施の第１の形態の電源装置４１と異なる点について説明し、同一の構成については同一の符号を付してその説明を省略する。電源装置４１Ａは、実施の第１の形態の電源装置４１に対して、さらに電源投入順序制御手段１０１が設けられ、異常停止回路４４が省かれている。ただし電源装置４１Ａに異常停止回路４４が設けられてもよく、設けられる場合は、実施の第１の形態の電源装置４１と同様の構成である。
【００７９】
電源投入順序制御手段１０１には、第１供給停止素子１０２と第２供給停止素子１０３と電源投入順序制御回路１０４とが含まれる。第１供給停止素子１０２は、ｐｎｐ型トランジスタで構成され、主導電路第２部分４５ｂと第１集積回路４７との間に介在している。第１供給停止素子１０２は、エミッタが主導電路第２部分４５ｂに電気的に接続され、コレクタが第１集積回路４７に電気的に接続されている。第２供給停止素子１０３は、ｐｎｐ型トランジスタで構成され、第１および第２集積回路４７，４８の間に介在している。さらに具体的に説明すると、第２供給停止素子１０３は、第１検出導電路６２と第２集積回路４８との間に介在している。第２供給停止素子１０３は、エミッタが第１集積回路４７に電気的に接続され、コレクタが第２集積回路４８に電気的に接続されている。第１および第２供給停止素子１０２，１０３が供給停止手段に相当する。
【００８０】
電源投入順序制御回路１０４は、電源装置４１を備える電子機器４０の電源スイッチを操作して電力を供給する際、予め定められる順序で第１および第２集積回路４７，４８に第１および第２印加電圧Ｖ４，Ｖ５をそれぞれ印加し、前記電子機器４０の電源スイッチを操作し電力供給を停止する際、予め定められる順序で第１および第２集積回路４７，４８にそれぞれ印加される第１および第２印加電圧Ｖ４，Ｖ５を停止させるための回路である。本実施の形態において、電源投入順序制御回路１０４には、第１集積回路４７、第２集積回路４８の順で電圧を印加させ、第１集積回路４７、第２集積回路４８の順で印加される電圧を停止させる。ただしこのような順序に限定されない。電源投入順序制御回路１０２は、第１および第２供給停止素子１０２，１０３のベースにそれぞれ電気的に接続されている。
【００８１】
以下、電源投入順序制御回路１０４によって、予め定められる順序で電圧を印加する場合の電源装置４１の動作について説明する。電源装置４１Ａを備える電子機器４０の電源が投入されると、電源投入順序制御回路１０４は、第１供給停止素子１０２のベースにローレベルの第１供給停止信号を伝送し、第２供給停止素子１０３のベースにハイレベルの第２供給停止信号を伝送する。第１および第２供給停止信号は、電流の信号である。これによって第１供給停止素子１０２は、そのエミッタ−コレクタ間が導通状態になり、第２供給停止素子１０３は、そのエミッタ−コレクタ間が非導通状態になる。この際、第２集積回路４８に供給すべき直流電流は、第２分流回路６５を流れる、すなわち第２分流回路６５に転流される。これによって第１集積回路４７にだけ電圧を印加させることができる。
【００８２】
次に電源投入順序制御回路１０４は、第２供給停止素子１０３にもローレベルの第２供給停止信号を伝送する。これによって第２供給停止素子１０３は、そのエミッタ−コレクタ間が導通状態になり、第２集積回路４８に直流電流が供給される。このようにして電源投入順序制御回路１０４は、予め定められた順序で第１および第２集積回路４７，４８を動作させる。
【００８３】
次に電源投入順序制御回路１０４によって、予め定められる順序で電圧を停止する場合の電源装置４１の動作について説明する。電源装置４１Ａを備える電子機器４０の電源が落とされると、電源投入順序制御回路１０４は、第１供給停止素子１０２のベースにハイレベルの第１供給停止信号を伝送し、第２供給停止素子１０３のベースにローレベルの第２供給停止信号を伝送する。これによって第１供給停止素子１０２は、そのエミッタ−コレクタ間が非導通状態になり、第２供給停止素子１０３は、そのエミッタ−コレクタ間が導通状態になる。この際、第２集積回路４７と主導電路第２部分４５ｂとは、第１分流回路６４によって電気的に接続されている。これによって第１集積回路４７に供給すべき直流電流を第１分流回路６５に転流されて、第２集積回路４８および第２分流回路６５に流れる。これによって第１集積回路４７に印加される電圧を停止し、第２集積回路４７にだけ電圧を印加させることができる。
【００８４】
次に電源投入順序制御回路１０４は、第２供給停止素子１０３にもハイレベルの第２供給停止信号を伝送する。これによって第２供給停止素子１０３は、そのエミッタ−コレクタ間が非導通状態になり、第２集積回路４８に直流電流の供給が停止され、第２集積回路４８に印加される第２印加電圧Ｖ５が停止される。このようにして電源投入順序制御回路１０４は、予め定められた順序で第１および第２集積回路４７，４８に印加される第１および第２印加電圧Ｖ４，Ｖ５が停止される。
【００８５】
以下、このように構成される電源装置４１Ａが奏する効果について説明する。本実施の形態の電源装置４１Ａによれば、第２供給停止素子１０３によって第２集積回路４８への直流電流の供給が停止されると、第２分流回路６５によって、第２集積回路４８に供給すべき直流電流を転流する。第１および第２集積回路４７，４８が直列に電気的に接続されているにもかかわらず、第２集積回路６５への直流電流の供給を停止させても、第２分流回路６５を用いて転流することによって、第１集積回路４７に直流電流を供給することができる。これによってたとえば、第２集積回路４８が第１集積回路４７より先に電圧の印加を停止しても、第１集積回路４７を安定して規定電圧ＶIC1を印加させることができる。第１供給停止素子１０３および第１分流回路６４によっても同様の効果を奏する。
【００８６】
また本実施の形態の電源装置４１Ａによれば、実施の第１の形態の電源装置４１と同様の効果を奏する。
【００８７】
図３は、本発明の実施の第３の形態の電源装置４１Ｂを示す回路図である。実施の第３の形態の電源装置４１Ｂは、実施の第１の形態の電源装置４１に類似している。したがって実施の第３の形態の電源装置４１Ｂについて、実施の第１の形態の電源装置４１と異なる点について説明し、同一の構成については同一の符号を付し、その説明を省略する。電源装置４１Ｂには、第１、第２および第３集積回路４７，４８，１１１が直列に電気的に接続されている。第３集積回路１１１は、第１集積回路４７と主導電路第２部分４５ｂとの間に介在している。第３集積回路１１１は、規定電圧ＶIC3が印加されると、動作可能に構成されている。規定電圧ＶIC3は、本実施の形態では５．０Ｖである。第３集積回路１１１も、第１および第２集積回路４７，４８と同様、たとえばマイクロプロセッサおよび半導体メモリである。ただし第３集積回路１１１も、またこれらに限定されるものでなく、複数の回路素子が組合させて形成されるものであればよい。
【００８８】
電源装置４１Ｂは、２つの電圧制御回路４３を備え、一方を一方の電圧制御回路４３ａとし、他方を他方の電圧制御回路４３ｂとする。各電圧制御回路４３ａ，４３ｂのいずれの構成について説明しているのかを明確にするために、一方の電圧制御回路４３の各構成については、符号に「ａ」を付し、他方の電圧制御回路４３ｂの各構成については、符号に「ｂ」を付して説明する。一方の電圧制御回路４３ａは、実施の第１の形態の電源装置４１と同様に、第２集積回路４８に印加される第２印加電圧Ｖ５を検出し、比較回路６３ａ、第１分流回路６４ａおよび第２分流回路６５ａによって第２印加電圧Ｖ５を規定電圧ＶIC2に制御する。第１分流回路６４ａのコレクタは、第３検出導電路１１２を介して、第１集積回路４７と第３集積回路１１１との間に電気的に接続されている。
【００８９】
他方の電圧制御回路４３ｂは、その第１分流回路６４ｂのエミッタおよび第１分流回路６４ｂの一端が導電路１１３を介して主導電路第２部分４５ｂに電気的に接続されている。電圧制御回路４３の第１検出導電路６２に相当する第３検出導電路１１２は、一端が第１集積回路４７と第３集積回路１１１との間に電気的に接続され、他端が比較回路６３ｂの反転入力端子に電気的に接続されている。第１および第２分流回路６４ｂ，６５ｂのエミッタは、第３検出導電路１１２に電気的に接続されている。また第２分流回路６５ｂのコレクタは、第１検出導電路６２に電気的に接続されている。
【００９０】
電源装置４１Ｂは、異常停止回路４４が省かれている。ただし電源装置４１Ｂに異常停止回路４４を設けてもよく、この場合、第１集積回路４７および第２集積回路４８が各許容電圧範囲内の電圧がそれぞれ印加されているかを判定し、少なくともいずれか１つの電圧が許容電圧範囲外であれば、電源回路４２から各集積回路４７，４８，１１１への直流電流の供給を停止させる。
【００９１】
このようにして構成される電源装置４１Ｂでは、実施の第１の形態の電源装置４１に含まれる電圧制御回路４３と同様に、一方の電圧制御回路４３ａによって、第１および第２集積回路４７，４８にそれぞれ印加される第１印加電圧Ｖ４および第２印加電圧Ｖ５を規定電圧ＶIC1，ＶIC2にそれぞれ制御する。さらに他方の電圧制御回路４３ｂによって、第３および第１集積回路１１１，４７にそれぞれ印加される第３印加電圧Ｖ１１および第１印加電圧Ｖ４を規定電圧ＶIC3，ＶIC1に制御する。
【００９２】
以下、このようにして構成される電源装置４１Ｂが奏する効果について説明する。本実施の形態の電源装置４１Ｂによれば、複数の集積回路４７，４８，１１１が直列に電気的に接続されても、実施の第１の形態の電源装置４１と同様の効果を奏する。
【００９３】
図４は、本発明の実施の第４の形態の電源装置４１Ｃを示す回路図である。実施の第１〜第３の形態の電源装置４１，４１Ａ，４１Ｂでは、電源４６として直流電流を供給可能なバッテリなどの電池が用いられているけれども、必ずしも電池に限定されない。図４に示すように、電源装置４１Ｃでは、電源４６として交流電流を供給可能な商用電源を用いられ、トランジスタ４９と電源４６との間に交流と直流に変換可能な交流直流変換回路（ＡＣ−ＤＣコンバータ）１１５が設けられる。これによって商用電源でも用いることができ、汎用性の高い電源装置４１を実現することができる。
【００９４】
本実施の形態では、異常検出回路７５およびリセット検出回路７８が論理和演算回路に限定されず、否定論理和演算回路（ＮＯＲゲート）であってもよい。また各コンパレータの出力端子に電気的に接続されている抵抗器は、これらの抵抗値を変えることによって、トランジスタに入力される信号の電流値を制御する。このような抵抗器を用いることによって、各トランジスタの導通状態を制御し、このエミッタ−コレクタ間を流れる電流の電流値を制御することができる。
【００９５】
本実施の形態では、複数の集積回路が規定電圧が低いほうから順に接地側に電気的に接続されているけれども、必ずしもこのような順序に限定されない。また本実施の形態では、電子部品を集積回路として説明しているけれども、必ずしもこれに限定されない。電子部品は、抵抗器、コンデンサおよびコイルなどの回路素子であってもよく、また回路素子が複数組み合わされて構成される電子回路であってもよく、予め定められ規定電圧を印加すべき部品であればよい。また電子機器４０は、ＥＣＵに限定されず、オーディオ機器、パーソナルコンピュータならびに電子レンジおよび冷蔵庫などの電化製品であってもよく、集積回路を複数備えるものであればよい。
【図面の簡単な説明】
【００９６】
【図１】本発明の実施の第１の形態である電源装置４１を示す回路図である。
【図２】本発明の実施の第２の形態の電源装置４１Ａを示す回路図である。
【図３】本発明の実施の第３の形態の電源装置４１Ｂを示す回路図である。
【図４】本発明の実施の第４の形態の電源装置４１Ｃを示す回路図である。
【図５】従来の第１の技術の電源装置１の回路図である。
【図６】従来の第２の技術の電源装置２１の回路図である。
【符号の説明】
【００９７】
４０  電子装置
４１  電源装置
４２  電源回路
４３  電圧制御回路
４４  異常停止回路
４７  第１集積回路
４８  第２集積回路
４９  トランジスタ
６２  第１検出導電路
６３  比較回路
６４  第１分流回路
６５  第２分流回路
７２  第２検出導電路
７９  停止判定回路
８０  異常判定手段
１０２  第１供給停止回路
１０３  第２供給停止回路
１１１  第３集積回路
１１２  第３検出導電路
１１５  交流直流変換回路
【図１】
2007241659.tif 000003
【図２】
2007241659.tif 000004
【図３】
2007241659.tif 000005
【図４】
2007241659.tif 000006
【図５】
2007241659.tif 000007
【図６】
2007241659.tif 000008